(57)【要約】【課題】本発明は音響機器に使用されるスピーカに関するものであり、スピーカの小形化、薄型化を図りながら音圧出力を確保したスピーカの提供を可能とするものである。【解決手段】本発明は、磁極が反撥する一対のリング状の磁石２２，２３間にボイスコイル２５ａを形成した振動板２５を配置して、薄型化を図るとともに、リング状の磁石２２，２３の中央の孔部から放音するものであり、放音のスペースの確保と、磁石２２，２３の容積を確保して音圧出力を確保したものである。【選択図】  図１
2004356832.tif 000002
【特許請求の範囲】
【請求項１】
フレームと、このフレームに外周が支持された振動板と、この振動板表面に形成された平面状のボイスコイルと、この振動板を挟んで間隔を持って磁極が反撥するように配置された一対のリング状の磁石とで構成されるスピーカ。
【請求項２】
リング状の磁石は厚み方向に磁化されている請求項１に記載のスピーカ。
【請求項３】
少なくともリング状の磁石の対向面の反対面の一方に装着される外周部とこれと連続するリング状の磁石の内周面と隙間を設けて形成した壁部とこの壁部と連続し前記リング状の磁石の対向面と略平行の中央に孔部を設けた内周部よりなるヨークを設けた請求項１または請求項２に記載のスピーカ。
【請求項４】
ボイスコイルは、平面方向の巻き幅の中心部がリング状の磁石の内周部付近に置かれ、かつ外周部が前記リング状の磁石の帯状部中心部またはそれより内側に形成されている請求項１または請求項２または請求項３に記載のスピーカ。
【請求項５】
対向する一対のリング状の磁石間にスペーサを介在させ、このスペーサに振動板の外周を接合した請求項１または請求項２または請求項３または請求項４に記載のスピーカ。
【請求項６】
フレームの中間部に複数の一対のスリットを同一高さで設け、このスリット間を内方向に押圧してリング状の磁石の位置決め部とした請求項２または請求項３または請求項４に記載のスピーカ。
【請求項７】
フレームの上下端夫々に設けた舌片を折り曲げることで一対のリング状の磁石をフレームに装着する請求項１または請求項２または請求項３に記載のスピーカ。
【請求項８】
リング状の磁石の対向面の反対面の一方に２つの導体部を設けた中央に孔部を設けた端子板を装着し、リング状の磁石またはリング状の磁石とヨークの孔部を挿通させたボイスコイルリード線で、振動板に設けたボイスコイルの両端部と前記端子板の２つの導体部の夫々と接続した請求項１または請求項２または請求項３、請求項４または請求項５または請求項６または請求項７に記載のスピーカ。
【発明の詳細な説明】
【０００１】
【発明の属する技術分野】
本発明は、各種音響機器に使用されるスピーカに関するものである。
【０００２】
【従来の技術】
従来の技術を図２および図３により説明する。図２は磁気回路を構成する磁石をボイスコイルの内方に設けたいわゆる内磁型のスピーカの側断面図であり、同図によると１はヨーク１ａと磁石１ｂと上部プレート１ｃからなる磁気回路であり、２は磁気回路１の上部に接合されたフレームであり、３は外周をエッジ３ａを介してフレーム２に接着結合された振動板であり、内周には前記磁気回路１の磁気ギャップ１ｄに嵌め込まれるボイスコイル４を結合している。なお、５は前記ボイスコイル４を上下動可能に支持するダンパーであり、６はダストキャップである。
【０００３】
図３は他の従来技術のスピーカの断面図であり、磁石をボイスコイルの外側に設けたいわゆる外磁型のスピーカの断面図を示すものである。
【０００４】
図２のスピーカとの同一部分には同一番号を付与し、説明を省略して相違点のみ説明すると、１０は中央に突出したセンターポール部を有する下部プレート１０ａとリング状の磁石１０ｂとトッププレート１０ｃから構成される磁気回路である。なお、図２の従来技術の内磁型のスピーカは特許文献１に記載され、図３の外磁型のスピーカは特許文献２に記載されている一般的なスピーカである。
【０００５】
いずれのスピーカもボイスコイル４に流された音声信号電流に応じたボイスコイル４の上下動により振動板３を振動させ、磁気回路１または１０の反対側から放音するものである。
【０００６】
【特許文献１】
実開平４−１３１０９７号公報
【特許文献２】
特開昭６３−９７０９６号公報
【０００７】
【発明が解決しようとする課題】
しかしながら、前述の従来のいずれの構成のスピーカにおいても、音響機器の小型・軽量化・薄型化の傾向の中で、スピーカ自体の小形化を図る場合、磁気回路（特に磁石）の小形化はスピーカの音圧低下をきたすと共に、振動板３が図から明らかなようにコーン状であるために薄型化には限界を持つものであった。
【０００８】
このような従来のスピーカは引用文献１および引用文献２に記載されている。
【０００９】
本発明は、前記従来のスピーカの課題を解決するものであり、スピーカの小形・薄型化を図りながら音圧低下をできるだけ抑制した構成のスピーカを提供しようとすることを目的とするものである。
【００１０】
【課題を解決するための手段】
前記課題を解決するために、本発明のスピーカの請求項１に記載のものは、フレームと、このフレームに外周が支持された振動板と、この振動板表面に形成されたボイスコイルと、この振動板を挟んで間隔を持って磁極が反撥するように配置された一対のリング状の磁石とで構成するものであり、一対のリング状の磁石間にボイスコイルを形成した振動板を配置して、振動板を振幅可能な程度の平面状とすることでスピーカの薄型化を可能とし、更に、リング状の磁石を用い、リング状の磁石の中央部を放音用として用いることでリング状の磁石の限られた容積内での大型化と放音部の確保を行って、スピーカの小形化の中での音圧の確保も行なうものである。
【００１１】
本発明のスピーカの請求項２に記載のものは、請求項１に記載の一対のリング状の磁石の磁化方向を磁石の厚み方向としたものであり、２つのリング状の磁石の間にある振動板に形成されたボイスコイルに対し、横切る磁束を増加させ、ボイスコイルに対する磁気効率の向上・スピーカの音圧向上に寄与するものである。
【００１２】
本発明のスピーカの請求項３に記載のものは、請求項１または請求項２に記載のスピーカのリング状の磁石の対向面の反対面の一方に、外周部とこれと連続するリング状の磁石の内周面と隙間を設けて形成した壁部とこの壁部と連続し前記リング状の磁石の対向面と略平行の中央に孔部を設けた内周面部よりなるヨークを前記外周部でリング状の磁石の少なくとも前記反対面の一方と装着するものであり、このヨークを装着することで、磁気回路の磁束密度を上げ、出力音圧の向上を図るものである。
【００１３】
本発明のスピーカの請求項４に記載のものは、請求項１または請求項２または請求項３に記載のスピーカの平面状の振動板に形成された平面状のボイスコイルの平面方向の巻き幅の中心部をリング状の磁石の内周部付近に置くと共に、外周部を前記リング状の磁石の帯状部中心部またはそれより内側に形成したものであり、磁気回路が作る磁束に対しボイスコイルが効率よく作用する効果の得られるものである。
【００１４】
本発明のスピーカの請求項５に記載のものは、請求項１または請求項２または請求項３または請求項４に記載の対向する一対のリング状の磁石間にスペーサを介在させたものであり、振動板が振動する空間を精度良く形成できるものである。
【００１５】
本発明のスピーカの請求項６に記載のものは、請求項１または請求項２または請求項３または請求項４に記載のフレームの中間部に複数の一対のスリットを同一高さで設け、このスリット間を内方向に押圧してリング状の磁石の位置決め部を設けることで、振動板が振動する空間を精度良く形成できるものである。
【００１６】
本発明のスピーカの請求項７に記載のものは、請求項１または請求項２または請求項３に記載のフレームの上下端夫々に折り曲げることで一対の磁石を固定する複数の舌片をフレームに一体に設けたものであり、一対の反撥する磁石の固定を極めて容易に行えるものである。
【００１７】
本発明のスピーカの請求項８に記載のものは、請求項１または請求項２または請求項３、請求項４または請求項５または請求項６または請求項７に記載のスピーカのリング状の磁石の対向面の反対面の一方に２つの導体部を設けた中央に孔部を設けた端子板を装着し、この２つの導体部に接続するボイスコイルからのボイスコイルリード線をリング状の磁石またはリング状の磁石とヨークの孔部を挿通させて接続するものであり、ボイスコイルリード線の引き回しをスピーカ内部で行なうことで、外力等によるボイスコイルリード線の損傷を防止するものである。
【００１８】
【発明の実施の形態】
以下、本発明の一実施の形態について図１により説明する。
【００１９】
（実施の形態１）
図１は本発明の一実施の形態のスピーカの側断面図である。２１は円筒状の金属薄板からなるフレームであり、上下の両端には縦方向の複数のスリットを設けて、複数の舌片２１ａがそれぞれ設けられている（この舌片２１ａを内方向に折り曲げることで、後述するリング状の磁石２２，２３をフレーム２１内に固定している。）。
【００２０】
２２，２３は一対のリング状の磁石であり、これらの磁石は磁極が反撥するように配置されている。
【００２１】
２４はスペーサであり、このスペーサ２４によってリング状の磁石２２，２３間の間隙が精度良く確保されている。
【００２２】
２５は本来は平面状の振動板であり、外周が前記スペーサ２４に固定されているが、中央部が振幅するようにたわむように形成され、この振動板２５上にはうずまき状のボイスコイル２５ａが形成されている。
【００２３】
２７は外周部が磁石２２の磁石２３との対向面の反対面に接合される外周部２７ａと前記磁石２２の内周面と隙間を設けて形成された壁部２７ｂと前記磁石２２の磁石２３との対向面と略同一平面で形成され、中央に孔部２７ｃを設けた内周部２７ｄから形成された第１のヨークである。
【００２４】
なお、２８は外周部が磁石２３の磁石２２との対向面の反対面に接合される外周部２８ａと前記磁石２２の内周面と隙間を設けて形成された壁部２８ｂと前記磁石２３の磁石２２との対向面と略同一平面で形成された中央に孔部２８ｃを設けた内周部２８ｄから形成された第２のヨークである。
【００２５】
２９は磁石２２上に接合された端子板であり、外部からの音声信号を入力するための２つの導体部２９ａ，２９ｂが設けられるとともに、この導体部２９ａ，２９ｂには前記ボイスコイル２５ａの両端部に一端が接続されたボイスコイルリード線２５ｂ，２５ｃの他端がそれぞれ接続されている。このとき、ボイスコイルリード線２５ｂ，２５ｃは前記第１のヨーク２７の孔部２７ｃおよび磁石２２の中央の孔部に挿通されて端子板の導体部２９ａ，２９ｂとボイスコイル２５ａの両端部を接続する事で、ボイスコイルリード線２５ｂ，２５ｃの露出を防止し、外部からの力による損傷を防止するものである。
【００２６】
以上のように構成されたスピーカは、磁石２２の磁束はボイスコイル２５ａを横切って第１のヨーク２７を経て前記磁石の対極に回帰する磁気回路を形成するとともに、磁石２３の磁束はボイスコイル２５ａを横切って第２のヨーク２８を経て前記磁石の対極に回帰する磁気回路を形成している。
【００２７】
このとき、前記端子板２９の導体部２９ａ，２９ｂに外部からの音声信号を入力することで、振動板２５を上下に振幅させ、第１のヨーク２７の孔部２７ｃおよび第２のヨーク２８の孔部２８ｃから放音するものである。
【００２８】
なお、上記実施の形態においては、磁気効率の向上を図り、音声出力の向上を図るために、
▲１▼  一対のリング状の磁石２２，２３は上下の厚み方向に磁化させている。
▲２▼  ボイスコイル２５ａの同一方向の巻幅Ａの中心部が磁石２２，２３の内周部に近接する位置とするとともに、更なる出力向上のために上または下方向からボイスコイル２５ａとリング状の磁石２２，２３を重ねて見たときに、ボイスコイル２５ａの外周が前記リング状の磁石２２，２３の幅の中心またはそれより内側になるように設定している。
【００２９】
また、上記実施の形態では、振動板２５はスペーサ２４に外周を接合するものとして説明したが、スペーサ２４を上下に分割して挟持するものであっても良い。また、フレーム２１の中間部に複数のスリットを同一高さで設け、このスリット間を内方向に押圧して磁石２２，２３の位置決めを行い、スペーサ２４を省略したものにあっては、振動板２５の外周をフレーム２１に接合してもよいものである。
【００３０】
【発明の効果】
以上のように、本発明のスピーカは、リング状のマグネットを用い、中央の孔部より放音するように構成したので、口径の小さな小型スピーカにおいても、磁石の小型化を抑制し、音圧出力のあるスピーカの提供を可能とするものである。
【図面の簡単な説明】
【図１】本発明のスピーカの一実施の形態の側断面図
【図２】従来のスピーカである内磁型の磁気回路を用いたスピーカの側断面図
【図３】従来のスピーカである外磁型の磁気回路を用いたスピーカの側断面図
【符号の説明】
２２，２３  磁石
２４  スペーサ
２５  振動板
２５ａ  ボイスコイル
２７，２８  ヨーク
２９  端子板
【図１】
2004356832.tif 000003
【図２】
2004356832.tif 000004
【図３】
2004356832.tif 000005